(57)【要約】  本発明は、光源と、リフレクタと、導光板と、背板とを備え、光源が前記導光板の受光側に設けられ、リフレクタが光源の外側を囲むように設けられ、背板がリフレクタと導光板の下側の縁部に設けられ、リフレクタに第１配合部が設けられ、背板に第２配合部が設けられ、第１配合部と第２配合部との組合せによって、リフレクタと背板が接続され固定されるバックライトモジュールに関する。該バックライトモジュールを備える液晶ディスプレーを更に提供する。瞬間的な外力を受けるときに変形することなく、リフレクタの内部スペースが確保される。
2013525982.tif 000002
【特許請求の範囲】
【請求項１】
光源と、
リフレクタと、
導光板と、
背板とを備え、
前記光源が前記導光板の受光側に設けられ、前記リフレクタが前記光源の外側を囲むように設けられ、前記背板が前記リフレクタと導光板の下側の縁部に設けられるバックライトモジュールにおいて、
前記リフレクタに第１配合部が設けられ、前記背板に第２配合部が設けられ、前記第１配合部と前記第２配合部との組合せによって、前記リフレクタと前記背板が接続され固定されることを特徴とするバックライトモジュール。
【請求項２】
前記第１配合部と前記第２配合部は導電性材料であることを特徴とする請求項１に記載のバックライトモジュール。
【請求項３】
前記第１配合部は１つ又は複数の突起リングであり、前記リフレクタの前記背板に接近する中間部分に形成されることを特徴とする請求項１に記載のバックライトモジュール。
【請求項４】
前記第１配合部は突出部であり、前記突出部は、前記リフレクタの前記背板に接近する端部を前記背板側へ湾曲するように形成されることを特徴とする請求項１に記載のバックライトモジュール。
【請求項５】
前記第１配合部は折り板であり、前記折り板は、第１湾曲部と第２湾曲部とを備え、
前記第１湾曲部は前記背板に垂直し、前記第２湾曲部は前記背板に平行し、前記第１湾曲部は、一端が前記リフレクタの前記背板に接近する端部に接続され、他端が前記背板を貫通して前記第２湾曲部の一端に接続されることを特徴とする請求項１に記載のバックライトモジュール。
【請求項６】
光源と、リフレクタと、導光板と、背板とを備え、前記光源が、前記導光板の受光側に設けられ、前記リフレクタが前記光源の外側を囲むように設けられ、前記背板が前記リフレクタの外側に設けられるバックライトモジュールと、
液晶パネルとを備える液晶ディスプレーにおいて、
前記バックライトモジュールは、前記液晶パネルの後方に設置され、
前記リフレクタに第１配合部が設けられ、前記背板に第２配合部が設けられ、前記第１配合部と前記第２配合部との組合せによって、前記リフレクタと前記背板が接続され固定されることを特徴とする液晶ディスプレー。
【請求項７】
前記第１配合部は１つ又は複数の突起リングであり、前記リフレクタの中間部分に形成されることを特徴とする請求項６に記載の液晶ディスプレー。
【請求項８】
前記第１配合部は突出部であり、前記突出部は、前記リフレクタの前記背板に接近する端部を前記背板側へ湾曲することにより形成されることを特徴とする請求項６に記載の液晶ディスプレー。
【請求項９】
前記第１配合部は折り板であり、前記折り板は、第１湾曲部と第２湾曲部とを備え、
前記第１湾曲部は前記背板に垂直し、前記第２湾曲部は前記背板に平行し、前記第１湾曲部は、一端が前記リフレクタの前記背板に接近する端部に接続され、他端が前記背板を貫通して前記第２湾曲部の一端に接続されることを特徴とする請求項６に記載の液晶ディスプレー。
【発明の詳細な説明】
【技術分野】
【０００１】
本発明は、バックライトモジュール及び液晶ディスプレーに関する。
【背景技術】
【０００２】
現在、液晶ディスプレーは常用のフラットパネルディスプレーの一つである。バックライトモジュールは液晶ディスプレーにおける重要な構成要素である。バックライトモジュールにおいて、光源としてのランプユニットは、バックライトモジュールの重要な構成要素の一つである。
【０００３】
図１は従来技術に係るバックライトモジュールの断面概略図である。図１に示すように、バックライトモジュール１０は、ランプユニット（一般的に、２つ〜３つのランプチューブからなる）１１と、導光板１２及びリフレクタ１３を備え、ランプユニット１１から射出する光線は、リフレクタ１３を介して導光板１２に反射される。２つのランプユニット１１が隙間１４内に設けられることによって、ランプユニット１１が固定され、緩衝作用が起こる。この隙間１４は可撓性材料で構成されてもよい。バックライトモジュール１０は、導光板１２の一側に設けられる光学フィルム１５と、導光板１２の前記一側の反対側に設けられる背板１７とをさらに備える。表示するための液晶パネル１６は、バックライトモジュール１０の上方に設けられる。背板１７、上フレーム１８及び外フレーム１９はバックライトモジュール１０及び表示パネル１６を固定するものである。導光板１２からの光は、光学フィルム１５と液晶パネル１６を介して射出される。
【０００４】
一般的に、上記バックライトモジュールにおける各素子はコンパクトに設置され、夫々の間に余計な隙間がない。従って、運送するときに、図１に示す矢印方向の瞬間的な外力Ｆを受けると、ランプユニット１１と、隣接する導光板１２、上フレーム１８、背板１７との間の間隔１４が小さくなり、リフレクタ１３が導光板１２へ変形してしまう。ランプユニット１１が押圧されて衝撃されると、ランプユニット１１が損傷され、バックライトモジュール１０が正常に作動できなくなる。液晶ディスプレーのサイズが非常に大きい場合に、リフレクタの長さも対応に長くなるので、変形が生じやすい。つまり、ランプユニット１１が損傷されやすい。
【０００５】
また、図１に示すように、上記構造では、瞬間的な外力を受けることでリフレクタ１３と背板１７が変形すると、リフレクタ１３の接地端は、回路接地端の背板１７から離れるようになり、液晶ディスプレーで表示する画面において瞬間的高圧ノイズが生じてしまう。
【発明の概要】
【発明が解決しようとする課題】
【０００６】
本発明は、リフレクタと背板の変形による接地不良を避け、瞬間的高圧ノイズを外へ誘導し、ランプユニットの損傷を防止することができるバックライトモジュール及び液晶ディスプレーを提供することを目的とする。
【課題を解決するための手段】
【０００７】
本発明の実施形態は、光源、リフレクタ、導光板及び背板を備えるバックライトモジュールを提供する。前記光源は、前記導光板の受光側に設けられ、前記リフレクタは前記光源の外側を囲むように設けられ、前記背板は前記リフレクタと導光板の下側の縁部に設けられ、前記リフレクタに第１配合部が設けられ、前記背板に第２配合部が設けられ、前記第１配合部と前記第２配合部との組合せによって、前記リフレクタと前記背板が接続され固定されるとともに、瞬間的高圧ノイズが外へ誘導される。
【０００８】
本発明の実施形態は、液晶パネルと前記液晶パネルの後方に設けられるバックライトモジュールとを備える液晶ディスプレーをさらに提供する。前記バックライトモジュールは、光源、リフレクタ、導光板及び背板を備え、前記光源は、前記導光板の受光側に設けられ、前記リフレクタは前記光源の外側を囲むように設けられ、前記背板は前記リフレクタと導光板の下側の縁部に設けられ、前記リフレクタに第１配合部が設けられ、前記背板に第２配合部が設けられ、前記第１配合部と前記第２配合部との組合せによって、前記リフレクタと前記背板が接続され固定される。
【図面の簡単な説明】
【０００９】
【図１】従来技術に係るバックライトモジュールの断面概略図である。
【図２Ａ】本発明第１実施形態に係るバックライトモジュールを有する液晶ディスプレーの断面概略図である。
【図２Ｂ】図２Ａの右側面図である。
【図３】本発明第２実施形態に係るバックライトモジュールを有する液晶ディスプレーの断面概略図である。
【図４】本発明第３実施形態に係るバックライトモジュールを有する液晶ディスプレーの断面概略図である。
【図５Ａ】本発明第３実施形態において、リフレクタを背板に組み立てる前の構造概略図である。
【図５Ｂ】本発明第３実施形態において、リフレクタを背板に組み立てた場合の構造概略図である。
【発明を実施するための形態】
【００１０】
本発明に係る実施例形態の目的、技術内容及びメリットをより明確にするために、以下、本発明の実施形態を表す図面を参照しながら、本発明の実施形態を明確かつ完全に説明する。勿論、ここで記載された実施形態は、ただ本発明の一部の実施形態だけであり、本発明の全ての実施形態ではない。本発明の実施形態に基づき、当業者が創造的な活動をしていない前提で得られる他の実施形態は全て本発明の技術範囲に含まれる。
【００１１】
バックライトモジュールが搬送途中に外部から瞬間的な衝撃を受けるとき、ランプユニットに隣接するリフレクタの変形によりリフレクタと導光板との間の隙間がなくなり、ランプユニットが損傷されること、或は、リフレクタの接地端が回路接地端の背板から離れ、瞬間的高圧ノイズが生じることを防止するために、本発明の実施形態では、光源となるランプユニット、リフレクタ、導光板及び背板を備え、前記ランプユニットは、前記導光板の受光側に設けられ、前記リフレクタは前記ランプユニットの外側を囲むように設けられ、前記背板は前記リフレクタの外側に設けられ、前記リフレクタに第１配合部が設けられ、前記背板に第２配合部が設けられ、前記第１配合部と前記第２配合部との組合せによって、前記リフレクタと前記背板が接続され固定されるバックライトモジュールを提供する。本発明の実施形態は、液晶パネルと、前記液晶パネルの後方に設けられるバックライトモジュールとを備える液晶ディスプレーをも提供する。ここでのバックライトモジュールは本発明の実施形態の構造を採用する。
【００１２】
上記バックライトモジュールの構造によれば、光路を影響しないまま、リフレクタ下方の部分に、背板の第２配合部と組合せる第１配合部が設けられる。これによって、液晶ディスプレーが瞬間的な外力を受ける場合に変形することがなく、リフレクタの内部スペースが確保され、ランプユニットの損傷が防止され、或は、リフレクタが背板から離れることが防止され、接地の安定性が強化され、瞬間的高圧ノイズを外へ誘導することができ、接地の不安定による瞬間的高圧ノイズが避けられる。
【００１３】
さらに、第１配合部と第２配合部は導電性材料により構成されるので、電気的接続がよりよく実現でき、瞬間的高圧ノイズを分散して外へ誘導することができ、接地の不安定による瞬間的高圧ノイズが避けられる。
【００１４】
図２Ａは本発明第１実施形態に係るバックライトモジュールを有する液晶ディスプレーの断面概略図である。図２Ｂは図２Ａの右側面図である。
【００１５】
図２Ａに示すように、該バックライトモジュール２０は、ランプユニット２１、リフレクタ２３、導光板２２および背板２７を備える。前記ランプユニット２１は、前記導光板２２の受光側となる一端に設けられ、前記リフレクタ２３は、本発明のリフレクタの一例であり、前記ランプユニット２１の外側を囲んで設けられる。前記背板２７は、前記リフレクタ２３と導光板２２の下側の縁部に設けられ、前記リフレクタ２３に第１配合部２３１が設けられ、前記背板２７に第２配合部２７１が設けられ、前記第１配合部２３１と第２配合部２７１との組合せによって前記リフレクタ２３と前記背板２７とが接続され固定される。図２Ｂに示すように、前記第１配合部２３１は１つ又は複数の突起リングであり、前記リフレクタ２３において前記背板２７に接近する中間部分に形成される。図において、ランプユニット２１は、たとえば、冷陰極蛍光ランプ（ＣＣＦＬ）を該バックライトモジュールの光源にするが、他の光源、例えば、発光ダイオード（ＬＥＤ）などであってもよい。
【００１６】
バックライトモジュール２０を備える液晶ディスプレーにおいて、表示をするための液晶パネル２６は、バックライトモジュール２０の上部に設けられる。光学フィルム１５は、導光板１２に設けられ、例えば、プリズムフィルム、散乱フィルムなどまたはそれらの積層を有する。背板２７、上フレーム２８及び外フレーム２９は、バックライトモジュール２０および液晶パネル２６を固定するものである。導光板２２からの光は、光学フィルム２５と液晶パネル２６を介して射出される。
【００１７】
該液晶ディスプレーが瞬間的な衝撃力を受ける場合、リフレクタ２３の第１配合部２３１は背板２７の第２配合部２７１に係合されるため、リフレクタ２３の変形が阻止される。従って、リフレクタ２３が導光板２２への移動が防止され、リフレクタ２３内部の隙間２４のサイズが変更することなく、ランプユニット２１の損傷が防止される。さらに、該液晶ディスプレーが瞬間的な衝撃力を受ける場合、リフレクタ２３の第１配合部２３１は背板２７の第２配合部２７１に係合されるため、リフレクタ２３が背板２７から離れることが防止され、接地の安定性が強化され、接地の不安定による瞬間的高圧ノイズが防止される。
【００１８】
また、図２Ｂに示すように、リフレクタ２３において、必要によって、複数の、例えば３つの第１配合部２３１を設置することができる。この場合に、第１配合部２３１に対応するために、背板２７においても、複数の第２配合部２７１を設置する必要がある。
【００１９】
図３は本発明第２実施形態に係るバックライトモジュールを有する液晶ディスプレーの断面概略図である。図３に示すように、該バックライトモジュール３０は、ランプユニット３１、リフレクタ３３、導光板３２および背板３７を備え前記ランプユニット３１は、前記導光板３２の一端に設けられ、前記リフレクタ３３は、前記ランプユニット３１の外側を囲んで設けられ、前記背板３７は、前記リフレクタ３３と導光板３２の下側の縁部に設けられる。また、前記リフレクタ３３に第１配合部３３１が設けられ、前記背板３７に第２配合部３７１が設けられ、前記第１配合部３３１と第２配合部３７１との組合せにより前記リフレクタ３３と前記背板３７とが接続され固定される。その中、前記第１配合部３３１は突出部である。前記突出部は、前記リフレクタ３３の前記背板３７に接近する端部を前記背板３７側へ湾曲することにより形成される。
【００２０】
前記バックライトモジュール３０を有する液晶ディスプレーの他の部材には、光学フィルム、液晶パネル、上フレーム、外フレームなどがある。それらは第１実施形態と同じであるので、ここで贅言しない。
【００２１】
ディスプレーが瞬間的な衝撃力を受ける場合、リフレクタ３３の第１配合部３３１は背板３７の第２配合部３７１に係合されるため、リフレクタ３３の変形が阻止される。従って、リフレクタ３３が導光板３２への移動が防止され、リフレクタ３３内部の隙間３４のサイズが変更することなく、ランプユニット３１の損傷が防止される。さらに、該液晶ディスプレーが瞬間的な衝撃力を受ける場合、リフレクタ３３の第１配合部３３１は背板３７の第２配合部３７１に係合されることによって、リフレクタ３３が背板３７から離れることが防止され、接地の安定性が強化され、瞬間的高圧ノイズを外へ誘導することができ、接地の不安定による瞬間的高圧ノイズが防止される。
【００２２】
図４は本発明第３実施形態に係るバックライトモジュールを有する液晶ディスプレーの断面概略図である。図４に示すように、該バックライトモジュールは、ランプユニット４１、リフレクタ４３、導光板４２および背板４７を備え、前記ランプユニット４１は、前記導光板４２の一端に設けられ、前記リフレクタ４３は、前記ランプユニット４１の外側を囲んで設けられ、前記背板４７は、前記リフレクタ４３と導光板４２の下側の縁部に設けられる。また、前記リフレクタ４３に第１配合部４３１が設けられ、前記背板４７に第２配合部４７１が設けられ、前記第１配合部４３１と第２配合部４７１との組合せにより前記リフレクタ４３と前記背板４７とが接続され固定される。ここで、前記第１配合部４３１は折り板である。前記折り板は、第１湾曲部４３２と第２湾曲部４３３とを備える。前記第１湾曲部４３２は前記背板４７に垂直し、前記第２湾曲部４３３は前記背板４７に平行する。前記第１湾曲部４３２は、一端が前記リフレクタ４３の前記背板４７に接近する端部に接続され、他端が前記背板４７を貫通して前記第２湾曲部４３３の一端に接続される。
【００２３】
上記バックライトモジュール４０を有する液晶ディスプレーの他の部材には、光学フィルム、液晶パネル、上フレーム、外フレームなどがある。これら構造が第１実施形態と同じであるので、ここで贅言しない。
【００２４】
図５Ａは本発明第３実施形態においてリフレクタを背板に組み立てる前の構造概略図である。図５Ｂは本発明第３実施形態においてリフレクタを背板に組み立てた場合の構造概略図である。図５Ａと５Ｂに示すように、背板４７における第２配合部４７１は、第２湾曲部４３３を貫通させる貫通孔４７２と、第１湾曲部４３２と係合する係合部４７３とを有する。
【００２５】
該液晶ディスプレーが瞬間的な衝撃力を受ける場合、リフレクタ４３の第１配合部４３１は背板４７の第２配合部４７１に係合されるため、リフレクタ４３の変形が阻止される。従って、リフレクタ４３が導光板４２への移動が防止され、リフレクタ４３内部の隙間４４のサイズが変更することなく、ランプユニット４１の損傷が防止される。さらに、該液晶ディスプレーが瞬間的な衝撃力を受ける場合、リフレクタ４３の第１配合部４３１が背板４７の第２配合部４７１に係合されるため、リフレクタ４３が背板４７から離れることが防止され、接地の安定性が強化され、接地の不安定による瞬間的高圧ノイズが防止される。
【００２６】
上記実施形態では、光源であるランプユニットを導光板の一端に設けること（サイドライト型）を例として説明したが、本発明では、光源を導光板の下側に設けてもよい（直下型）。その場合、リフレクタが光源の下または側辺に設けられ、背板がリフレクタと導光板の下側の縁部に設けられ、リフレクタに第１配合部が設けられ、背板に第２配合部が設けられ、第１配合部と第２組合との組合によってリフレクタと背板が接続され固定される。
【００２７】
尚、以上の実施形態は本発明の技術内容を説明するものに過ぎず、限定するものではない。上述した実施形態によって本発明が詳しく説明されたが、上述した各実施形態に記載された技術案を修正する、または一部の技術的特徴を均等的に変更することができると当業者が理解するべきである。この修正や変更によって技術案の内容が本発明主旨と範囲から逸脱するようにならない。
【符号の説明】
【００２８】
１０  バックライトモジュール        １１  ランプユニット
１２  導光板        １３  リフレクタ        １４  隙間
１５  光学フィルム        １６  液晶パネル        １７  背板
１８  上フレーム        １９  外フレーム
２０  バックライトモジュール        ２１  ランプユニット
２２  導光板        ２３  リフレクタ        ２４  隙間
２５  光学フィルム        ２６  液晶パネル        ２７  背板
２８  上フレーム        ２９  外フレーム
２３１  第１配合部        ２７１  第２配合部
３１  ランプユニット        ３２  導光板
３３  リフレクタ        ３４  隙間        ３７  背板
３３１  第１配合部        ３７１  第２配合部
４１  ランプユニット        ４２  導光板        ４３  リフレクタ
４４  間隔        ４７  背板        ４３１  第１配合部
４３２  第１湾曲部        ４３３  第２湾曲部
４７１  第２配合部        ４７２  貫通孔        ４７３  係合部
【図１】
2013525982.tif 000003
【図２Ａ】
2013525982.tif 000004
【図２Ｂ】
2013525982.tif 000005
【図３】
2013525982.tif 000006
【図４】
2013525982.tif 000007
【図５Ａ】
2013525982.tif 000008
【図５Ｂ】
2013525982.tif 000009
【国際調査報告】
2013525982.tif 000010
2013525982.tif 000011
2013525982.tif 000012
2013525982.tif 000013
2013525982.tif 000014
2013525982.tif 000015